(57)【要約】  サービス又はプログラム及び／又はサービス又はプログラムの対話性又は対話情報のタイプに関する情報を伝送するためのデジタル・ブロードキャスト伝送システムにおける装置及び方法が提供される。１つの例では、プログラム又はサービスのタイプ及びプログラム又はサービスに関連する対話のタイプを示すパラメータ又は属性がＥＳＧフラグメントに与えられる。別の例では、第１のパラメータは、プログラム又はサービスのタイプを示すために与えられ、第２のパラメータは、プログラム又はサービスに関連する対話のタイプを示すために与えられる。パラメータ又は属性は、ＥＳＧフラグメントのメタデータに含むことができる。
2009516943.tif 000002
【特許請求の範囲】
【請求項１】
プログラム又はサービスに対応し、前記プログラム又はサービスのタイプ及び前記プログラム又はサービスに関連する対話性のタイプの１つを示す情報を含む電子サービスガイド（ＥＳＧ）データを提供する方法であって、
前記プログラム又はサービスに関連する対話性のタイプを示す第１のパラメータを前記ＥＳＧデータ内に与える、
ステップを含むことを特徴とする方法。
【請求項２】
前記パラメータは前記ＥＳＧデータのメタデータに与えられることを特徴とする請求項１に記載の方法。
【請求項３】
前記第１のパラメータは、Ｂａｓｉｃ  ＴＶ、Ｂａｓｉｃ  Ｒａｄｉｏ、Ｃｌｉｐｃａｓｔ、ファイルダウンロードサービス、ソフトウェア管理サービス、及び通知サービスからなるグループから選択されたプログラム又はサービスのタイプをさらに示すことを特徴とする請求項１に記載の方法。
【請求項４】
前記第１のパラメータは、ＳＭＳメッセージング対話性、ＭＭＳメッセージング対話性、電子メールメッセージング対話性、サービスガイド更新対話性、及びｗｗｗサービス対話性からなるグループから選択されたプログラム又はサービスに関連する対話性のタイプを示すことを特徴とする請求項１に記載の方法。
【請求項５】
前記プログラム又はサービスのタイプを示す第２のパラメータを前記ＥＳＧデータに与えるステップをさらに含むことを特徴とする請求項１に記載の方法。
【請求項６】
前記第１のパラメータは、プログラム又はサービスのタイプをさらに示し、第１の複数の値から選択された前記プログラム又はサービスのタイプを示す第１の値と、第２の複数の値から選択された前記プログラム又はサービスに関連する対話性のタイプを示す第２の値とを有することを特徴とする請求項１に記載の方法。
【請求項７】
前記第１のパラメータは、前記プログラム又はサービスのタイプをさらに示し、前記プログラム又はサービスのタイプ及び前記プログラム又はサービスに関連する対話性のタイプに対応する値を有することを特徴とする請求項１に記載の方法。
【請求項８】
前記第１のパラメータは、第１の複数の値及び第２の複数の値の一方から選択された値を有し、前記第１の複数の値は、前記プログラム又はサービスのタイプの表示及び前記プログラム又はサービスに関連する対話性のタイプの表示の両方に対応し、前記第２の複数の値は、前記プログラム又はサービスのタイプの表示ではなく、前記プログラム又はサービスに関連する対話性の表示に対応することを特徴とする請求項１に記載の方法。
【請求項９】
プログラム又はサービスのタイプ又はプログラム又はサービスに関連する対話性のタイプを求めるための方法であって、
プログラム又はサービスに関連する対話性のタイプを示す第１のパラメータを含む電子サービスガイド（ＥＳＧ）データを受信し、
前記ＥＳＧデータを解析し、
前記解析に基づいて前記第１のパラメータを識別し、
前記識別された第１のパラメータに基づいて、前記プログラム又はサービスに関連する対話性のタイプを求める、
ステップを含むことを特徴とする方法。
【請求項１０】
前記第１のパラメータは、Ｂａｓｉｃ  ＴＶ、Ｂａｓｉｃ  Ｒａｄｉｏ、Ｃｌｉｐｃａｓｔ、ファイルダウンロードサービス、ソフトウェア管理サービス、及び通知サービスからなるグループから選択されたプログラム又はサービスのタイプをさらに示し、前記求めるステップは、前記第１のパラメータに基づいて前記プログラム又はサービスのタイプを求めるステップをさらに含むことを特徴とする請求項９に記載の方法。
【請求項１１】
前記第１のパラメータは、ＳＭＳメッセージング対話性、ＭＭＳメッセージング対話性、電子メールメッセージング対話性、サービスガイド更新対話性、及びｗｗｗサービス対話性からなるグループから選択されたプログラム又はサービスに関連する対話性のタイプをさらに示し、前記求めるステップは、前記プログラム又はサービスに関連する対話性を求めるステップを含むことを特徴とする請求項９に記載の方法。
【請求項１２】
前記プログラム又はサービスのタイプを示す前記ＥＳＧデータにおける第２のパラメータを識別するステップをさらに含むことを特徴とする請求項９に記載の方法。
【請求項１３】
前記求めるステップは、前記識別された第２のパラメータに基づいて前記プログラム又はサービスのタイプを求めるステップをさらに含むことを特徴とする請求項１２に記載の方法。
【請求項１４】
前記第１のパラメータは、プログラム又はサービスのタイプをさらに示し、第１の複数の値から選択された前記プログラム又はサービスのタイプを示す第１の値と、第２の複数の値から選択された前記プログラム又はサービスに関連する対話性のタイプを示す第２の値とを有することを特徴とする請求項９に記載の方法。
【請求項１５】
前記求めるステップは前記識別された第１のパラメータの前記第１の値に基づいてプログラム又はサービスのタイプを求めるステップと、前記識別された第２のパラメータの前記第２の値に基づいてプログラム又はサービスに関連する対話性のタイプを求めるステップとを含むことを特徴とする請求項１４に記載の方法。
【請求項１６】
前記第１のパラメータは前記プログラム又はサービスのタイプをさらに示し、前記プログラム又はサービスのタイプ及び前記プログラム又はサービスに関連する対話性のタイプの両方に対応する値を有することを特徴とする請求項９に記載の方法。
【請求項１７】
前記第１のパラメータは、前記プログラム又はサービスに関連する対話性のタイプを示し、与えられた前記プログラム又はサービスのタイプは示さないことを特徴とする請求項９に記載の方法。
【請求項１８】
前記第１のパラメータは、第１の複数の値及び第２の複数の値の一方から選択された値を有し、前記第１の複数の値は、前記プログラム又はサービスのタイプの表示及び前記プログラム又はサービスに関連する対話性のタイプの表示の両方に対応し、前記第２の複数の値は、前記プログラム又はサービスのタイプの表示ではなく、前記プログラム又はサービスに関連する対話性の表示に対応することを特徴とする請求項９に記載の方法。
【請求項１９】
プログラム又はサービスに関する情報をＥＳＧフラグメントに提供する送信機であって、
伝送のためにＥＳＧフラグメントに含まれるデータを受信するための入力部と、
プログラム又はサービスに関連する対話性のタイプに関連する第１のパラメータを求めるためのブロードキャスト／対話モジュールと、
前記第１のパラメータを含む前記ＥＳＧフラグメントをアセンブルするためのＥＳＧフラグメントアセンブラと、
を含み、前記第１のパラメータは、前記プログラム又はサービスに関連する対話性のタイプを示すことを特徴とする送信機。
【請求項２０】
前記第１のパラメータは、Ｂａｓｉｃ  ＴＶ、Ｂａｓｉｃ  Ｒａｄｉｏ、Ｃｌｉｐｃａｓｔ、ファイルダウンロードサービス、ソフトウェア管理サービス、及び通知サービスからなるグループから選択されたプログラム又はサービスのタイプをさらに示すことを特徴とする請求項１９に記載の送信機。
【請求項２１】
プログラム又はサービスに関連する対話性のタイプは、ＳＭＳメッセージング対話性、ＭＭＳメッセージング対話性、電子メールメッセージング対話性、サービスガイド更新対話性、及びｗｗｗサービス対話性からなるグループから選択されたプログラム又はサービスに関連する対話性のタイプを示すことを特徴とする請求項１９に記載の送信機。
【請求項２２】
前記ブロードキャスト／対話モジュールは第２のパラメータをさらに求め、前記アセンブラは前記ＥＳＧフラグメントに前記第２のパラメータをさらに含み、前記第２のパラメータは前記プログラム又はサービスのタイプを示すことを特徴とする請求項１９に記載の送信機。
【請求項２３】
ＥＳＧフラグメントにおけるプログラム又はサービスに関する情報を受信するための受信機であって、
ＥＳＧフラグメントを受信するための入力部と、
前記ＥＳＧフラグメントにおいて、プログラム又はサービスに関連する対話性のタイプに対応する第１のパラメータを識別するための解析機と、
前記第１のパラメータを識別し、前記第１のパラメータに基づいて、前記プログラム又はサービスに関連する対話性のタイプを求めるためのプロセッサと、
を含むことを特徴とする受信機。
【請求項２４】
前記第１のパラメータは、Ｂａｓｉｃ  ＴＶ、Ｂａｓｉｃ  Ｒａｄｉｏ、Ｃｌｉｐｃａｓｔ、ファイルダウンロードサービス、ソフトウェア管理サービス、及び通知サービスからなるグループから選択されたプログラム又はサービスのタイプにさらに対応することを特徴とする請求項２３に記載の受信機。
【請求項２５】
プログラム又はサービスに関連する対話性のタイプは、ＳＭＳメッセージング対話性、ＭＭＳメッセージング対話性、電子メールメッセージング対話性、サービスガイド更新対話性、及びｗｗｗサービス対話性からなるグループから選択されることを特徴とする請求項２３に記載の受信機。
【請求項２６】
前記解析機は、前記プログラム又はサービスのタイプを識別する前記ＥＳＧフラグメントにおける第２のパラメータをさらに識別することを特徴とする請求項２３に記載の受信機。
【請求項２７】
前記プロセッサは前記第２のパラメータをさらに識別し、前記識別された第２のパラメータに基づいて前記プログラム又はサービスのタイプを求めることを特徴とする請求項２６に記載の受信機。
【請求項２８】
前記第１のパラメータは、第１の複数の値から選択された前記プログラム又はサービスのタイプを示す第１の値と、第２の複数の値から選択された前記プログラム又はサービスに関連する対話性のタイプを示す第２の値とを有することを特徴とする請求項２３に記載の受信機。
【請求項２９】
前記プロセッサは、前記識別された第１のパラメータの前記第１の値に基づいて、前記プログラム又はサービスのタイプを求め、前記識別された第１のパラメータの前記第２の値に基づいて、前記プログラム又はサービスに関連する対話性のタイプを求めることを特徴とする請求項２８に記載の受信機。
【請求項３０】
前記第１のパラメータは、前記プログラム又はサービスのタイプ及び前記プログラム又はサービスに関連する対話性のタイプの両方に対応する値を有し、前記プロセッサは、前記第１のパラメータに基づいて、前記プログラム又はサービスのタイプ及び前記プログラム又はサービスに関連する対話性のタイプを求めることを特徴とする請求項２３に記載の受信機。
【請求項３１】
前記第１のパラメータは、前記プログラム又はサービスに関連する対話性のタイプに対応し、前記プログラム又はサービスのタイプには対応しないことを特徴とする請求項２３に記載の受信機。
【請求項３２】
前記第１のパラメータは、第１の複数の値及び第２の複数の値の一方から選択された値を有し、前記第１の複数の値は、前記プログラム又はサービスのタイプの表示及び前記プログラム又はサービスに関連する対話性のタイプの表示の両方に対応し、前記第２の複数の値は、前記プログラム又はサービスのタイプの表示ではなく、前記プログラム又はサービスに関連する対話性のタイプの表示に対応することを特徴とする請求項２３に記載の受信機。
【請求項３３】
コンピュータ実行可能命令が具現されたコンピュータ可読媒体を含むコンピュータプログラム製品であって、
プログラム又はサービスに関連し、プログラム又はサービスのタイプ及びプログラム又はサービスに関連する対話のタイプの一方に対応するパラメータを有する電子サービスガイド（ＥＳＧ）フラグメントを受信し、
前記パラメータに基づいて、前記プログラム又はサービスのタイプ及び前記プログラム又はサービスに関連する対話性のタイプの一方を求める、
ステップを含むことを特徴とするコンピュータプログラム製品。
【請求項３４】
プログラム又はサービス及びプログラム又はサービスに関連する対話性のタイプを与えるユーザ・インタフェースを与えるようにプログラムされた移動体端末であって、
移動体端末により受信されるプログラムを表示するための手段と、
視覚的に、前記プログラム上に、前記プログラムに関連する対話性インジケータを重畳する手段と、
を含み、前記対話性インジケータは、受信したＥＳＧフラグメントを基にして求められることを特徴とする移動体端末。
【発明の詳細な説明】
【技術分野】
【０００１】
本発明は、一般に、通信ネットワークに関する。より具体的には、本発明は、通信ネットワークにおいてサービスのタイプを与えることを提供する。
【背景技術】
【０００２】
一般に、電子サービスガイド（ＥＳＧ）は、エンド・ユーザがどのサービスを使用可能か、及びサービスにどのようにアクセスできるかを、端末が通信できるようにする。ＥＳＧフラグメントは、独立して存在するＥＳＧの部分である。従来、ＥＳＧフラグメントはＸＭＬドキュメントを含むが、最近では、例えば、ＳＤＰ（Ｓｅｓｓｉｏｎ  Ｄｅｓｃｒｉｐｔｉｏｎ  Ｐｒｏｔｏｃｏｌ）記述、テキスト・ファイル、又は画像といった膨大な項目を含んでいる。ＥＳＧフラグメントは、現在（又は将来）使用できるサービス又はブロードキャスト・プログラムの１つ又は幾つかの側面を記述する。このような側面は、例えば、自由なテキスト記述、スケジュール、地理的利用可能性、価格、購入方法、ジャンル、及びプレビュー画像又はクリップといった補足情報を含むことができる。オーディオ、ビデオ、及びＥＳＧフラグメントを含む他のタイプのデータは、多くの異なるプロトコルによる多様なタイプのネットワークを通して伝送されることができる。例えば、データは、インターネット・プロトコル（ＩＰ）及びユーザ・データグラム・プロトコル（ＵＤＰ）といった、インターネット・プロトコル・スートのプロトコルを用いた「インターネット」として通常称される、ネットワークの集合体を通して伝送することができる。データはしばしば、単一のユーザにアドレス指定されたインターネットを通して伝送される。しかしながら、一般的にマルチキャスティングとして知られる、ユーザのグループにアドレス指定することもできる。データが全ユーザにアドレス指定される場合には、ブロードキャストと呼ばれる。ＥＳＧデータは、デジタル・ブロードバンド・ブロードキャスト及び／又はマルチキャスト・ネットワークを含む、異なるタイプの無線デジタル・ネットワークを用いて伝送することができる。
【０００３】
多数のタイプのサービスは、加入者端末又は受信機にブロードキャストされることができる。例えば、基本的なＴＶサービス、クリップキャストサービス、混合サービス、又はラジオサービスは、サービス・プロバイダから端末又は複数の端末にブロードキャストされることができる。提供されるサービスの種類は、ＥＳＧにおいて示すことができる。しかしながら、対話性は、サービスのタイプの一部として与えられるのみである。このことは、維持するのが困難な、より複雑な一覧を生成する。さらに、サービス及び対話性の付加的な組み合わせを加えることには問題があり、特定の異なるサービスの組み合わせは、複雑さが増加した結果、示されない。さらに、対話性のタイプは与えられない。
【０００４】
したがって、対応するサービスに関する、より正確な情報を可能にするのに単純で効果的であるが、包括的な方法によって対話性情報を提供するための方法及びシステムに対する必要性が存在する。さらに、与えられた対話性のタイプに関する情報をＥＳＧにおいて与える必要性がある。
【発明の開示】
【０００５】
以下は、本発明の一部の態様の基本的な理解を提供するために、簡略化された要約を提示するものである。この要約は、本発明の広範な概要ではない。この要約は、本発明の手掛かり又は重要な要素を識別することも、本発明の範囲を詳細に描写することも意図するものではない。次の要約は、以下のより詳細な説明への前置きとして簡略化された方法で本発明の実施形態による幾つかの概念を提示するものにすぎない。
【０００６】
１つの例では、第１のパラメータ又は属性がプログラム又はサービスのタイプを示すためにＥＳＧフラグメントに与えられる。さらに、第２のパラメータ又は属性をプログラム又はサービスに関連する対話のタイプを示すために与えることができる。第１のパラメータ及び第２のパラメータは、対応するプログラム又はサービス又はプログラム又はサービスに関連する対話のタイプのそれぞれを示す値を有することができる。
【０００７】
別の例では、プログラム又はサービス又はプログラム又はサービスに関連する対話のタイプに対応する値を有するパラメータ又は属性を、ＥＳＧフラグメントに与えることができる。例えば、パラメータ又は属性の値を第１の複数の値から選択してプログラム又はサービスのタイプを示すことができ、又は、パラメータ又は属性を第２の複数の値から選択して、プログラム又はサービスに関連する対話のタイプを示すことができる。
【０００８】
別の例では、プログラム又はサービス及びプログラム／サービスに関連する対話のタイプの両方に対応する値を有するパラメータ又は属性をＥＳＧフラグメントに与えることができる。或いは、パラメータ又は属性は、プログラム／サービスに関連する対話だけに対応する値を有することができる。
【０００９】
別の例では、受信機は、プログラム又はサービスに対応するＥＳＧフラグメントを受信するために提供することができ、ＥＳＧフラグメントは、プログラム又はサービス及びプログラム／サービスに関連する対話のタイプを示すパラメータ又は属性又は複数のパラメータ又は属性を含むことができる。
【００１０】
別の例では、送信機が、プログラム又はサービスに対応するＥＳＧフラグメントを生成するために提供され、ＥＳＧフラグメントは、プログラム又はサービス及びプログラム／サービスに関連する対話のタイプを示すパラメータ又は属性又は複数のパラメータ又は属性を含むことができる。
【００１１】
別の例では、コンピュータ可読媒体が、ＥＳＧフラグメントにおけるパラメータ又は属性又は複数のパラメータ又は属性に基づいて、プログラム又はサービスを与えるために提供され、プログラム又はサービスのタイプ及び／又はプログラム又はサービスに関連する対話のタイプを示す。
【発明を実施するための最良の形態】
【００１２】
本発明及びその利点のより完全な理解は、同様の参照番号が同様の特徴を示す添付の図面を考慮して次の説明を参照することによって得ることができる。
【００１３】
種々の実施形態の次の説明において、その一部を形成し、本発明を実施することができる種々の実施形態を例証として示す添付図面を参照する。他の実施形態を用いることも可能であり、本発明の範囲及び精神から逸脱することなく、構造上かつ機能上の変更をなすこともできることを理解すべきである。
【００１４】
本発明の態様は、広範囲なネットワーク及び通信プロトコルにわたって用いることができる。図１は、本発明のシステム及び方法を用いることができる無線通信システム１１０の例を示す。携帯情報端末（ＰＤＡ）、携帯電話、移動体端末、パーソナル・ビデオ・レコーダ、携帯用テレビ、パーソナル・コンピュータ、デジタルカメラ、デジタルカムコーダ、携帯用オーディオ装置、携帯用ラジオ、又はこれらの組み合わせといった１つ又はそれ以上のネットワーク対応の移動体装置１１２が、ブロードキャスト・ネットワーク１１４及び／又はセルラー・ネットワーク１１６を通して、サービス・ソース１２２と通信状態にある。移動体端末／装置１１２は、デジタル・ブロードバンド・ブロードキャスト受信機装置を含むことができる。サービス・ソース１２２は、実際のプログラム・コンテンツ又は情報、或いはそれらのサービス及びプログラムの記述を、サービス・ソースに提供することができる幾つかのサービス提供者に接続することができ、それぞれのサービス提供者は、さらに、コンテンツ又は情報を移動体装置１１２に提供する。幾つかのサービス・プロバイダは、これらに限られるものではないが、１つ又はそれ以上のテレビ及び／又はデジタルテレビ・サービス提供者、ＡＭ／ＦＭラジオ・サービス提供者、ＳＭＳ／ＭＭＳプッシュサービス提供者、インターネット・コンテンツ又はアクセス提供者を含むことができる。
【００１５】
データをブロードキャストする１つの方法は、ＩＰデータ・キャスティング（ＩＰＤＣ）ネットワークを用いることである。ＩＰＤＣは、デジタル・ブロードキャストとインターネット・プロトコルの組み合わせである。そのようなＩＰベースのブロードキャスト・ネットワークを通じて、１つ又はそれ以上のサービス・プロバイダは、オンライン新聞、ラジオ、及びテレビを含む、異なるタイプのＩＰサービスを供給することができる。これらのＩＰサービスは、オーディオ、ビデオ、及び／又は他のタイプデータの形態で、１つ又はそれ以上のメディア・ストリームに系統化される。これらストリームがいつどこで発生するかを判断するために、ユーザは、電子サービス・ガイド（ＥＳＧ）を参照する。ＤＶＢの１つのタイプは、携帯電話のような小型携帯機器で使用可能な能力及びサービスを増加させる、近年開発された技術であるＤｉｇｉｔａｌ  Ｖｉｄｅｏ  Ｂｒｏａｄｃａｓｔ−Ｈａｎｄｈｅｌｄ（ＤＶＢ−Ｈ）である。ＤＶＢ−Ｈは、１０Ｍｂｐｓのデータをバッテリ電源式端末装置へ送給するように指定される。
【００１６】
ＤＶＢトランスポート・ストリームは、第３者の送給ネットワークを経由して、圧縮されたオーディオ及びビデオ及びデータをユーザに送給する。Ｍｏｖｉｎｇ  Ｐｉｃｔｕｒｅ  Ｅｘｐｅｒｔ  Ｇｒｏｕｐ（ＭＰＥＧ）は、単一プログラム内のエンコードされたビデオ、オーディオ、及びデータが、他のプログラムと多重化されてトランスポート・ストリーム（ＴＳ）になる技術である。ＴＳは、ヘッダを含む、固定された長さのパケットをもつ、パケット化されたデータ・ストリームである。プログラム、オーディオ、及びビデオの個別要素はそれぞれ、固有のパケット識別（ＰＩＤ）を有するパケット内で運ばれる。受信機装置が、特定のプログラムの異なる要素をＴＳ内に配置できるようにするために、ＴＳに組み込まれるＰｒｏｇｒａｍ  Ｓｐｅｃｉｆｉｃ  Ｉｎｆｏｒｍａｔｉｏｎ（ＰＳＩ）が供給される。加えて、ＭＰＥＧのプライベート区分のシンタックスに準拠する一組の表をＴＳに組み込むことができる。このことは、受信機装置が、ＴＳ内に含まれるデータを正確に処理できるようにする。
【００１７】
しかしながら、本発明の態様はまた、例えばＴ−ＤＡＢ、Ｔ／Ｓ−ＤＭＢ、ＩＳＤＢ−Ｔ、ＡＴＳＣ、ＭｅｄｉａＦＬＯといった他の従来型デジタル・モバイルブロードキャストシステム、及び３ＧＰＰ  ＭＢＭＳと３ＧＰＰ２ＢＣＭＣＳといった非従来型システムにも、適用可能である。
【００１８】
ブロードキャスト・ネットワーク１１４は、ＤＶＢ−ＨによるＩＰデータ放送の無線伝送を含むことができる。ブロードキャスト・ネットワーク１１４は、送信機１１８を介して、デジタル又はアナログ・テレビ信号のようなサービス、及びサービスに関連した補足的コンテンツをブロードキャストすることができる。ブロードキャスト・ネットワークはまた、ラジオ、テレビ、又はＩＰデータ放送ブロードキャスト・ネットワークを含むこともできる。ブロードキャスト・ネットワーク１１４はまた、テレビ信号、音声及び／又はビデオ・ストリーム、データ・ストリーム、ビデオ・ファイル、音声ファイル、ソフトウェア・ファイル、及び／又はビデオゲームを含むことができる補足的コンテンツを伝送することもできる。ＩＰデータ放送サービスを伝送する場合、サービス・ソース１２２は、ブロードキャスト・ネットワーク１１４を通して実際のプログラム・コンテンツをユーザ装置１１２に伝えることができ、セルラー・ネットワーク１１６を通して実際のプログラム・コンテンツについての、ユーザの権利及びアクセス情報などの付加的な情報を伝えることができる。
【００１９】
移動体装置１１２はまた、セルラー・ネットワーク１１６を通してサービス・ソース１２２と連絡を取ることができる。セルラー・ネットワーク１１６は、無線ネットワークと、基地局送信機１２０とを含むことができる。セルラー・ネットワークは、第２／第３世代（２Ｇ／３Ｇ）のセルラー方式データ通信ネットワーク、Ｇｌｏｂａｌ  Ｓｙｓｔｅｍ  ｆｏｒ  Ｍｏｂｉｌｅ  ｃｏｍｍｕｎｉｃａｔｉｏｎｓ  ｎｅｔｗｏｒｋ（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、又はＷＬＡＮネットワークのような他の無線通信ネットワークを含むことができる。
【００２０】
本発明の１つの態様において、移動体装置１１２は、セルラー・ネットワーク１１６内でデジタル無線通信を送信及び／又は受信するように構成された無線インタフェースを含むことができる。セルラー・ネットワーク１１６又はブロードキャスト・ネットワーク１１４を通して移動体装置１１２が受信した情報は、ユーザ選択、アプリケーション、サービス、電子画像、音声クリップ、ビデオクリップ、及び／又はＷＴＡＩ（Ｗｉｒｅｌｅｓｓ  Ｔｅｌｅｐｈｏｎｙ  Ａｐｐｌｉｃａｔｉｏｎ  Ｉｎｔｅｒｆａｃｅ）メッセージを含むことができる。セルラー・ネットワーク１１６の一部として、受信機装置がセルラー・ネットワーク１１６の管理ドメイン内に位置する間、１つ又はそれ以上の基地局（図示せず）が受信機装置１１２とのデジタル通信をサポートすることができる。
【００２１】
図２に示されるように、移動体装置１１２は、ユーザ・インタフェース１３０、メモリ１３４及び／又は他の記憶装置に接続されたプロセッサ１２８、及びディスプレイ１３６を含むことができる。移動体装置１１２はまた、バッテリ１５０、スピーカ１５２、及びアンテナ１５４を含むこともできる。ユーザ・インタフェース１３０は、キーパッド、タッチ・スクリーン、音声インタフェース、４つの矢印キー、ジョイスティック、データグローブ、マウス、ローラーボール等をさらに含むことができる。
【００２２】
プロセッサ１２８が用いるコンピュータ実行可能命令及びデータ、並びに移動体装置１１２内の他のコンポーネントは、コンピュータ可読メモリ１３４内に格納することができる。メモリは、随意的に揮発性メモリ及び不揮発性メモリの両方を含む、読み出し専用メモリ・モジュール又はランダム・アクセス・メモリ・モジュールの任意の組み合わせにより実装することができる。移動体装置１２２が種々の機能を実行することを可能にするために、ソフトウェア１４０をメモリ１３４及び／又は記憶装置内に格納して、プロセッサ１２８に命令を与えることができる。代替的に、移動体装置１１２のコンピュータ実行可能命令の一部又は全てを、ハードウェア又はファームウェア（図示せず）内に組み入れることもできる。
【００２３】
特定のＤＶＢ受信機１４１を通して、例えば、ＤＶＢ−Ｈ又はＤＶＢ−ＭＨＰのようなＤｉｇｉｔａｌ  Ｖｉｄｅｏ  Ｂｒｏａｄｃａｓｔ（ＤＶＢ）規格に基づいたデジタル広帯域ブロードキャスト伝送を受信し、デコードし、処理するように、移動体装置１１２を構成することができる。移動体装置には、デジタル広帯域ブロードキャスト伝送のための他のタイプの受信機を設けることもできる。さらに、ＦＭ／ＡＭラジオ受信機１４２、ＷＬＡＮ送信機１４３、及び遠隔通信送信機１４４を通して、伝送を受信し、デコードし、処理するように、受信機装置１１２を構成することもできる。本発明の１つの態様において、移動体装置１１２は、無線データ・ストリーム（ＲＤＳ）メッセージを受信することができる。
【００２４】
ＤＶＢ規格の一例においては、１つのＤＶＢ１０Ｍｂｉｔ／ｓ伝送は、２００，５０ｋｂｉｔ／ｓの音声プログラム・チャネル、又は５０，２００ｋｂｉｔ／ｓのビデオ（ＴＶ）プログラム・チャネルを有することができる。Ｄｉｇｉｔａｌ  Ｖｉｄｅｏ  Ｂｒｏａｄｃａｓｔ−Ｈａｎｄｈｅｌｄ（ＤＶＢ−Ｈ）規格、或いはＤＶＢ−ＭＨＰ、ＤＶＢ−Ｓａｔｅｌｌｉｔｅ（ＤＶＢ−Ｓ）、ＤＶＢ−Ｔｅｒｒｅｓｔｒｉａｌ（ＤＶＢ−Ｔ）、又はＤＶＢ−Ｃａｂｌｅ（ＤＶＢ‐Ｃ）のような他のＤＶＢ規格に基づいて、伝送を受信し、デコードし、処理するように、移動体装置１１２を構成することができる。同様に、代替的に他のデジタル伝送形式を用いて、ＡＴＳＣ（Ａｄｖａｎｃｅｄ  Ｔｅｌｅｖｉｓｉｏｎ  Ｓｙｓｔｅｍｓ  Ｃｏｍｍｉｔｅｅ）、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＩＳＤＢ−Ｔ）（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）、ＤＡＢ（Ｄｉｇｉｔａｌ  Ａｕｄｉｏ  Ｂｒｏａｄｃａｓｔｉｎｇ）、ＤＭＢ（Ｄｉｇｉｔａｌ  Ｍｕｌｔｉｍｅｄｉａ  Ｂｒｏａｄｃａｓｔｉｎｇ）、ＦＬＯ（Ｆｏｒｗａｒｄ  Ｌｉｎｋ  Ｏｎｌｙ）、又はＤＩＲＥＣＴＶのような、補足的サービスのコンテンツ及び可用性情報を送信することができる。さらに、デジタル伝送は、ＤＶＢ−Ｈ技術におけるように、タイム・スライス型のものにすることができる。タイム・スライシングは、移動体端末の平均電力消費を低減することができ、滑らかでシームレスなハンドオーバを可能にする。タイム・スライシングは、従来のストリーミング機構を用いてデータが伝送された場合に必要とされるビットレートと比べると、より大きい瞬時ビットレートを用いて一気にデータを送ることからなる。この場合、移動体装置１１２は、提示前にデコードされたタイム・スライス型伝送を格納するための、１つ又はそれ以上のバッファ・メモリを有することができる。バースト間の受信機のパワーは、パワー消費を減少させるためにオフにすることができる。
【００２５】
本発明の１つの例では、ＥＳＧフラグメントは、１つ又はそれ以上のデータ・ストリーム又はチャンネルで、加入者端末に送給されることができる。この例では、ＥＳＧ情報を加入者端末に送給するのに、（ＩＰパケット・ストリームといった）複数のチャンネルを用いることができる。例えば、ＥＳＧフラグメントは、サービス・プロバイダによって提供される来たるイベントの通知、サービス・プロバイダによって提供される現在のイベントにおける変更、又はユーザ又はユーザのグループに対する更新された又は進行中の情報の通知を、加入者端末に提供することができる。
【００２６】
ＥＳＧフラグメントは、コンテナでＥＳＧ情報をトランスポートすることができる、トランスポート・オブジェクトにおいて送給されることができる。従って、ＥＳＧフラグメントは、それ自体のトランスポート・オブジェクトにおいて送給されることができるコンテナに配置することができる。コンテナは、コンテナ・ヘッダとコンテナ・ペイロードをさらに含むことができ、例えば、コンテナ・ヘッダは、各コンテナがトランスポート・オブジェクト内部のどこに位置するかについての情報を提供することができる。１つの例では、トランスポート・オブジェクトは、単一のコンテナ、又は各コンテナが１つのＥＳＧフラグメントを含む複数のコンテナを含むことができる。図３は、本発明の少なくとも１つの態様による例示的なトランスポート・オブジェクトの図である。図３の例に説明されるように、トランスポート・オブジェクト３００は、コンテナ・ヘッダ３１０及びコンテナ・ペイロード３２０を含むことができるコンテナを含むことができる。１つの例では、コンテナ・ヘッダ３１０及びコンテナ・ペイロード３２０は、単一トランスポート・オブジェクト３００に組み込むことができる単一コンテナ３０５に組み込むことができ、コンテナ・ヘッダ３１０を、異なるトランスポートされたオブジェクト内でどこに各コンテナを配置するかに関する情報と再び結びつける必要がなくなる。代替的には、トランスポート・オブジェクト３００は、複数のコンテナを含むことができ、コンテナは、ＥＳＧフラグメント３４０を幾つでも含むことができる。コンテナ・ヘッダ３１０は、例えばコンテナ・ヘッダ３１０自体、及び／又はコンテナ・ペイロード３２０に関する情報といった、対応するＥＳＧフラグメントに関連する情報を含むことができる。
【００２７】
図３に示される例では、ＥＳＧフラグメント３４０は、コンテナ・ペイロード３２０に含まれる。コンテナ・ヘッダ３１０は、対応するコンテナ・ペイロード３２０内のＥＳＧフラグメントを識別し説明するための記述子を含むことができる。従って、これらに限定されるものではないが、トランスポート・オブジェクト３００におけるＥＳＧフラグメントの位置、又はフラグメント３４０に含まれる各々の長さといった、ＥＳＧフラグメントの特徴を識別することができる。例えば、１つの実施形態では、例えばオフセット値、開始点及び終了点、又は同類のものを提供することにより、フィールドは、特定のＥＳＧがコンテナ・ペイロード３２０内のどこで始まるかを指定する。他の実施形態においては、メタデータ３５０を、ヘッダ３１０内に位置する又はヘッダ３１０に近接する個々のＥＳＧフラグメント３４０、記述子エントリ、ＥＳＧフラグメント３４０、又はそれらの混合物と関連付けることができる。１つの例示的な実施形態では、ＥＳＧフラグメント３４０との３ＧＰＰメタデータ・エンベロープの関連は、その特定のＥＳＧフラグメントに関連してヘッダ３１０に配置されるべき付加的なメタデータと置き換えてもよく、又はその必要性をなくしてもよい。
【００２８】
図４は、複数の単一Ｔｒａｎｓｐｏｒｔ  Ｏｂｊｅｃｔ（トランスポート・オブジェクト）の伝送の例を示す。図４に示されるように、現在の発明のトランスポート・オブジェクト（ＴＯ）は、例えばＦＬＵＴＥ（Ｆｉｌｅ  Ｄｅｌｉｖｅｒｙ  ｏｖｅｒ  Ｕｎｉｄｉｒｅｃｔｉｏｎａｌ  Ｔｒａｎｐｏｒｔ）セッション、又は純粋なＡｓｙｎｃｈｒｏｎｏｕｓ  Ｌａｙｅｒｅｄ  Ｃｏｄｉｎｇ（ＡＬＣ）で運ばれることができる。図４の例では、ＩＰアドレス、ポート番号、及びＴｒａｎｓｐｏｒｔ  Ｓｅｓｓｉｏｎ  Ｉｄｅｎｔｉｆｉｅｒ（ＴＳＩ）といったＥＳＧ  Ｒｏｏｔ  Ｃｈａｎｎｅｌ  Ｄａｔａは、ＩＰ／ＭＡＣ  Ｎｏｔｉｆｉｃａｔｉｏｎ  Ｔａｂｌｅ（ＩＮＴ  Ｔａｂｌｅ）に宣言され、それは、例えばＤＶＢ−ＨのＳＩ表の１つとして、ＤＶＢ−ＨにおけるＳＩ／ＰＳＩストリームにおいて運ばれる。ＥＳＧ  Ｒｏｏｔ  ＣｈａｎｎｅｌのＦＬＵＴＥセッションは、セッションのＦｉｌｅ  Ｄｅｌｉｖｅｒｙ  Ｔａｂｌｅ（ＦＤＴ）及び１つ又はそれ以上のトランスポート・オブジェクト（ＴＯ）を含む。告知カルーセルにおいて送給されることができるこれらトランスポート・オブジェクトは、ＥＳＧの異なる部分間のマッピングと、ＥＳＧデータが伝送される、異なるＥＳＧ方法へのアクセス・パラメータとを含む。ＥＳＧは、互いに異なることができる。例えば、ＥＳＧは、異なる言語、ジャンル、又はエンコーディングであることができる。
【００２９】
アクセス・パラメータの例は、例えば、ＩＰアドレス、ポート番号、ＴＳＩ、開始時間及び終了時間等を含むことができる。ＦＬＵＴＥセッションは従って、ＥＳＧデータが、異なるセッションにどのように分散されるかを宣言する。このマッピング・データを運ぶＦＬＵＴＥセッションのＴＯは、ＦＬＵＴＥセッションのＦＤＴに記述される。ＥＳＧマッピング・データは、１つ又は多数のＴＯ内で運ばれることができる。マッピングは、列挙型でバイナリとして、又は当業者に知られる種々の他の手段を通じて、ＸＭＬスキーマ、プレーンＡＳＣＩＩテキスト、マルチパートＭＩＭＥ又はＭＩＭＥヘッダといった構造化ＡＳＣＩＩテキストを用いて生成されることができる。この例でのＥＳＧデータは、１つ又はそれ以上のＴＯにおいて送給されることができ、それは例えば純粋なＡＬＣセッション内にあるとすることができる。ＥＳＧデータ又はその一部は、ＡＬＣセッションに加えて、又はその代わりに、本発明の幾つかの実施形態において、１つ又はそれ以上のＦＬＵＴＥセッションにおいて送給されることができる。
【００３０】
移動ブロードキャスト・サービスは、リッチな対話型メディアコンテンツを大量の移動オーディエンスに分配することを可能にする。こうしたサービスは、幾つか例を挙げると、ＤＶＢ−Ｔ、ＤＶＢ−Ｈ、Ｑｕａｌｃｏｍｍ  ＦＬＯ、Ｔ−ＤＭＢ、Ｓ−ＤＭＢ、ＷＬＡＮ、ＷｉＭＡＸ、３ＧＰＰ／ＭＢＭＳ、３ＧＰＰ２／ＢＣＭＣＳのような多数の異なるブロードキャスト・ネットワーク上で送ることができる。さらに、ネットワークは、２Ｇ、２．５Ｇ、及び３Ｇセルラーシステム、ＷＬＡＮ等の対話型サービスと組み合わせることができる。
【００３１】
一態様の１つの例では、対話型サービスに関する情報は、ＥＳＧにおいて提供することができる。この情報は、ブロードキャスト・サービスのタイプを示すパラメータを含むことができる。さらに、情報は、サービスに対応して提供される対話のタイプを示すパラメータをさらに含むことができる。例えば、提供されるサービスは対話型サービスであると示すことができるパラメータをＥＳＧに提供することができる。対話型サービスの幾つかの制限されない例は、幾つか例を挙げると、対話型基本ＴＶ、対話型Ｃｌｉｐｃａｓｔ、対話型基本ラジオ、対話型ファイルダウンロードサービス、又は対話型ソフトウェア管理サービスを含む。
【００３２】
別の例では、ブロードキャスト・サービスのタイプを示すパラメータは、対話型サービスのタイプを示すパラメータから分離することができる。例えば、「Ａｍｅｒｉｃａｎ  Ｉｄｏｌ」といったテレビプログラムがブロードキャストされるとする。「Ａｍｅｒｉｃａｎ  Ｉｄｏｌ」のテレビプログラムに対応するＥＳＧは、プログラムがＢａｓｉｃ  ＴＶタイプのサービスであることを示すブロードキャストタイプパラメータを含むことができる。さらに、ＥＳＧは、プログラムの対話が、例えば、メッセージングタイプであると示すパラメータを含むことができる。メッセージングタイプは、どのようなタイプであってもよい。この例では、メッセージングタイプは、ＳＭＳとすることができ、ＳＭＳタイプの対話の表示をプログラムに与えることができる。１つの例では、ディスプレイは、プログラム（すなわち、「Ａｍｅｒｉｃａｎ  Ｉｄｏｌ」）に、ＳＭＳ上で投票する表示を与えることができる（すなわち、この例ではＳＭＳである、対話のタイプ）。
【００３３】
さらに、１つのサービス又はプログラムは、１つより多いブロードキャスト・サービスのタイプ又は１つより多い対話のタイプを有することができる。例として、サービスは、ブロードキャスト・コンポーネント（例えば、テレビプログラム）を含むことができ、関連するサービスはファイルダウンロードサービス・コンポーネントを与えることができる。この例では、第１のプログラムのブロードキャストタイプはＢａｓｉｃ  ＴＶタイプとすることができ、対話のタイプはＳＭＳとすることができ、第２のサービス又はプログラムのブロードキャストはファイルダウンロードサービスとすることができ、第２のサービス又はプログラムの対話のタイプはｗｗｗ対話性のタイプとすることができる。
【００３４】
サービスのタイプの表示とは分離された対話のタイプの表示の例では、ＥＳＧにおけるパラメータが与えられ、与えられるブロードキャストのタイプを示す。例えば、「ＢｒｏａｄｃａｓｔＴｙｐｅ」といったパラメータは、サービスのタイプの表示を与えることができる。１つの例では、ＢｒｏａｄｃａｓｔＴｙｐｅパラメータは整数とすることができ、この値は、与えられるブロードキャストの特定のタイプを示すことができる。例えば、ＢｒｏａｄｃａｓｔＴｙｐｅパラメータは、ブロードキャストがＢａｓｉｃ  ＴＶブロードキャスト又はＢａｓｉｃ  Ｒａｄｉｏブロードキャストを示す整数とすることができる。ブロードキャストタイプの他の限定されない例は、幾つか例を挙げると、Ｃｌｉｐｃａｓｔ、ファイルダウンロードサービス、ソフトウェア管理サービス、通知を含む。
【００３５】
さらに、この例では、パラメータがＥＳＧに与えられて、対話のタイプを示す。このパラメータは、与えられるブロードキャスト又はサービスのタイプを示すＥＳＧにおけるパラメータとは分離することができる。サービスのタイプを示すパラメータは、どのようなタイプの対話も与えられるサービスにおいて使用可能であると示すことができる。或いは、パラメータは、対話のタイプは、幾つか挙げると、ＳＭＳメッセージング、ＭＭＳメッセージング、電子メールメッセージング、サービスガイドの更新、又はワールドワイドウェブ（ｗｗｗ）サービスを示すことができる。対話のタイプのどのタイプも含むことができ、本発明は、与えられる例に限られるものではない。例えば、対話のタイプは、さらに、標準化されたタイプ（例えば、ＷＡＰ）を含んでもよいし、又は、実施に固有のタイプ（例えば、Ｙａｈｏｏメッセンジャーの目録番号２０４又はＴＲＣチャネルの２０５）を含んでもよい。１つの例では、パラメータは整数であり、この値は対話のタイプを示す。さらに、対話性パラメータは、所望の場合には、ＥＳＧのメタデータに含むことができる。
【００３６】
以下の表Ｉは、サービスのタイプを示すようにＥＳＧに含むことができるパラメータの例を示す。
表Ｉ
2009516943.tif 000003
【００３７】
タイプを、エレメント（Ｅ）、属性（Ａ）、第１段階サブエレメント（Ｅ１）、第２段階サブエレメント（Ｅ２）、又は第３段階サブエレメント（Ｅ３）とすることができる場合、カテゴリは、任意（Ｏ）、又は優先／必須（Ｍ）とすることができる。
【００３８】
さらに、以下の表ＩＩは、サービスの対話のタイプを示すようにＥＳＧに含むことができるパラメータの例を示す。
表２
2009516943.tif 000004
【００３９】
タイプを、エレメント（Ｅ）、属性（Ａ）、第１段階サブエレメント（Ｅ１）、第２段階サブエレメント（Ｅ２）、又は第３段階サブエレメント（Ｅ３）とすることができる場合、カテゴリは、任意（Ｏ）、又は優先／必須（Ｍ）とすることができる。
【００４０】
したがって、この例では、ブロードキャスト又はサービスのタイプを示すパラメータ（例えば、ＢｒｏａｄｃａｓｔＴｙｐｅパラメータ）は、ブロードキャスト又はサービスの対話性のタイプを示すパラメータ（例えば、ＩｎｔｅｒａｃｔｉｏｎＴｙｐｅパラメータ）とは分離することができる。したがって、付加的な可能な組み合わせは、ＥＳＧのパラメータに示されるサービスタイプの２つの態様により含むことができる。説明する１つの例として、例えば「Ａｍｅｒｉｃａｎ  Ｉｄｏｌ」のようなＴＶプログラムは、Ｂａｓｉｃ  ＴＶのブロードキャストタイプを有することができる。しかし「Ａｍｅｒｉｃａｎ  Ｉｄｏｌ」プログラムは、さらに、閲覧者の投票をサポートする対話性を含むことができる。対話のタイプは、例えば、あらゆる対話、対話のメッセージングタイプ、サービスガイド更新の対話、又はｗｗｗサービスの対話として示すことができる。さらに、メッセージング対話は、ＳＭＳ、ＭＭＳ、又は電子メールのようなメッセージング対話のどのようなタイプであってもよい。この場合、対話のタイプは、例えば、ＳＭＳとすることができ、ＩｎｔｅｒａｃｔｉｏｎＴｙｐｅパラメータは、対話性のＳＭＳのタイプに対応する値を有することができる。したがって、ＳＭＳ上で、閲覧に対するサポートを示すアイコン又は他の表示をユーザに表示することができる（すなわち、ＩｎｔｅｒａｃｔｉｏｎＴｙｐｅパラメータは、ＳＭＳ対話タイプに対応する値を有することができる）。
【００４１】
対話タイプは、さらに、ｗｗｗサービスの表示を含むことができる。例えば、ＩｎｔｅｒａｃｔｉｏｎＴｙｐｅパラメータは、「ｗｗｗ  ｓｅｒｖｉｃｅ」の対話タイプに対応する値を有することができる。例えば、ラジオプログラムは、プログラムのブロードキャストがラジオのブロードキャストであると示すブロードキャストタイプのパラメータを有することができる（例えば、ｂｒｏａｄｃａｓｔＴｙｐｅパラメータは、プログラムがＢａｓｉｃ  Ｒａｄｉｏプログラムであると示すことができる）。ラジオプログラムは、さらに、ラジオのｗｗｗページに対するリンクを含むことができる（例えば、ＩｎｔｅｒａｃｔｉｏｎＴｙｐｅパラメータは、対話性タイプはｗｗｗであると示す値を有することができる）。
【００４２】
別の例では、ブロードキャストの対話性及びタイプを、ＥＳＧにおける単一のパラメータ又は属性に与えることができる。例えば、サービス又はプログラムのタイプ及びサービス又はプログラムに対応する対話のタイプの両方を示すパラメータをＥＳＧに与えることができる。例えば、サービスのタイプを示すパラメータ、エレメント、又は属性をＥＳＧに与えることができる（例えば、幾つかを挙げると、Ｂａｓｉｃ  ＴＶ、Ｃｌｉｐｃａｓｔ、Ｂａｓｉｃ  Ｒａｄｉｏ、ファイルダウンロードサービス、又はソフトウェア管理サービス）。さらに、パラメータはまた、プログラム又はサービスの対話タイプを示すことができる（例えば、ｗｗｗサービス、ＳＭＳメッセージング、ＭＭＳメッセージング、電子メールメッセージング、サービスガイド更新等）。さらに、サービスは、パラメータ又は属性によりサービスに対して１つより多い値を提供することができる。例えば、普通の対話サービス並びに対話を含むファイルダウンロードサービスを提供することができる。
【００４３】
以下の表３は、サービスの対話のタイプを示すようにＥＳＧに含むことができるパラメータの例を示す。
表３
2009516943.tif 000005
【００４４】
タイプを、エレメント（Ｅ）、属性（Ａ）、第１段階サブエレメント（Ｅ１）、第２段階サブエレメント（Ｅ２）、又は第３段階サブエレメント（Ｅ３）とすることができる場合、カテゴリは、任意（Ｏ）、又は優先／必須（Ｍ）とすることができる。
【００４５】
別の例では、ブロードキャスト又はサービスのタイプを提供することができ、サービスは１つのタイプを有している。サービスのタイプ及びブロードキャストの対話のタイプを示すことができるプログラム又はサービスに対応するパラメータ又はエレメントをＥＳＧに与えることができる。例えば、Ｂａｓｉｃ  ＴＶタイプのサービス、Ｃｌｉｐｃａｓｔタイプのサービス、混合タイプのサービス（例えば、混合Ｂａｓｉｃ  Ｔｖ及びＣｌｉｐｃａｓｔタイプのサービス）、Ｂａｓｉｃ  Ｒａｄｉｏサービス、ファイルダウンロードサービスタイプ、ソフトウェア管理サービス、又は通知サービスに対応する値を有するパラメータをＥＳＧに含むことができる。さらに、サービスに関連する対話性のタイプに応じて、パラメータ又はエレメントは異なる値を有することができる。例えば、対話型Ｂａｓｉｃ  ＴＶサービスは、特定の値をもつ対応するパラメータ又はエレメントを有することができ、非対話型Ｂａｓｉｃ  ＴＶサービスのパラメータは、対話のタイプ並びに与えられるサービスのタイプを示すように異なる値を有することができる。
【００４６】
この例では、パラメータ又はエレメントは、さらに、関連する対話のタイプに基づいて独特な値を有することができる。例えば、パラメータ又はエレメントは、ＳＭＳメッセージングのような対話のタイプを示す特定の値、ＭＭＳメッセージングのような対話のタイプを示す異なる値、及び電子メールメッセージングのような対話のタイプを示すさらに異なる値を有することができる。含むことができる多数のタイプの対話性があり、どのような対話性もパラメータ又はエレメントの独特な値により示すことができる。例えば、対話性は、さらに、ｗｗｗ対話性サービス又はオンデマンド対話を含むことができる。
【００４７】
別の例では、パラメータ又はエレメントは、サービスのタイプ及び対話性が提供される場合には対話性のタイプの両方を示す独特な値を有することができる。例えば、パラメータ又はエレメントは、対話型Ｂａｓｉｃ  ＴＶの特定の値、Ｃｌｉｐｃａｓｔサービスの異なる値、対話型ＳＭＳメッセージングをもつ基本的なラジオサービスの異なる値等を有することができる。したがって、パラメータ又はエレメントの値は、サービスのタイプ並びに存在する場合には対話性のタイプを示すことができる。
【００４８】
さらに、パラメータ又はエレメントはまた、対話性タイプだけを示すことができる。例えば、パラメータ又はエレメントの値は、ｗｗｗ、ＭＭＳメッセージング、ＳＭＳメッセージング、電子メールメッセージング、又はＳｅｒｖｉｃｅ  Ｇｕｉｄｅ  Ｕｐｄａｔｅ対話のような対話を示すことができる。
【００４９】
以下の表４は、サービスのタイプ及び対話性のタイプを示すようにＥＳＧに含むことができるパラメータの例を示す。
表４
2009516943.tif 000006
【００５０】
表４（続き）
2009516943.tif 000007
【００５１】
タイプを、エレメント（Ｅ）、属性（Ａ）、第１段階サブエレメント（Ｅ１）、第２段階サブエレメント（Ｅ２）、又は第３段階サブエレメント（Ｅ３）とすることができる場合、カテゴリは、任意（Ｏ）、又は優先／必須（Ｍ）とすることができる。
【００５２】
図５は、本発明の１つの態様による受信機又は端末の例を示す部分ブロック図である。この例では、受信機５００は、入力部５０１を含む。入力部５０１は、ＥＳＧフラグメントとして伝送された又はＥＳＧフラグメント・トランスポート機構を用いて伝送された情報を受信するように構成することができる。或いは、ＥＳＧフラグメントはまた、インタフェースにより受信されてもよい。図５に示すように、入力インタフェース５０５はＥＳＧを、例えば双方向対話ネットワーク上で受信できることを示す。この例では、ＥＳＧフラグメントは、対応するブロードキャストのタイプを示すパラメータを含むことができる。１つの例では、ブロードキャストのタイプは、Ｂａｓｉｃ  ＴＶブロードキャストである。別の例では、ブロードキャストのタイプは、Ｃｌｉｐｃａｓｔブロードキャストである。しかしながら、どのようなタイプのプログラム又はサービスも示すことができる。例えば、Ｂａｓｉｃ  Ｒａｄｉｏプログラム又はサービス、ファイルダウンロードサービス、ソフトウェア管理サービス、通知サービス等のプログラム又はサービスを提供することができる。
【００５３】
ＥＳＧフラグメントは、さらに、対応する言うログラム又はサービスに関連する対話のタイプを示すパラメータを含むことができる。例えば、ＥＳＧフラグメントは、入力部５０１において受信することができる。さらに、ＥＳＧフラグメントは、入力インタフェース５０５により入力部５０１において受信することができる。ＥＳＧフラグメントは、ブロードキャスト又はプログラム又はサービスのタイプを示すパラメータを含むことができる。さらに、ＥＳＧフラグメントは、ブロードキャスト、プログラム、又はサービスに関連する対話のタイプを示すパラメータを含むことができる。１つの例では、ブロードキャスト、プログラム、又はサービスのタイプを示すパラメータは、プログラム又はサービスのタイプに対応する値を有するＢｒｏａｄｃａｓｔＴｙｐｅパラメータ又は属性を含む。例えば、ＢｒｏａｄｃａｓｔＴｙｐｅパラメータ又は属性は、Ｂａｓｉｃ  ＴＶブロードキャスト、Ｂａｓｉｃ  Ｒａｄｉｏブロードキャスト、Ｃｌｉｐｃａｓｔブロードキャスト、ファイルダウンロードサービス等を示す値を有することができる。
【００５４】
入力部５０１において受信されたＥＳＧフラグメントは、さらに、プログラム又はサービスに関連する対話のタイプを示すパラメータを含むことができる。例えば、対話のタイプを示すパラメータは、プログラム又はサービスに関連する対話又は対話性のタイプに対応する値を有するＩｎｔｅｒａｃｔｉｏｎＴｙｐｅパラメータ又は属性を含むことができる。１つの例では、ＩｎｔｅｒａｃｔｉｏｎＴｙｐｅパラメータ又は属性は、メッセージング対話に対応する値を有する。ＩｎｔｅｒａｃｔｉｏｎＴｙｐｅパラメータは、サービスガイド更新又はｗｗｗサービスに対応する値を有する。さらに、ＩｎｔｅｒａｃｔｉｏｎＴｙｐｅパラメータ又は属性は、メッセージング対話の特定のタイプに対応する値を有することができる。幾つかの限定されないメッセージング対話のタイプの例は、ＳＭＳ、ＭＭＳ、又は電子メールメッセージングを含む。
【００５５】
或いは、受信機５００の入力部５０１は、プログラム又はサービスのタイプ及びプログラム又はサービスに関連する対話のタイプを示す単一のパラメータ又は属性を含むＥＳＧを受信することができる。この例では、ＥＳＧフラグメントは、受信機５００の入力部５０１において受信される。１つの例では、ＥＳＧフラグメントは、入力インタフェース５０５により受信することができる。受信したＥＳＧフラグメントは、プログラム又はサービスのタイプ及び／又はプログラム又はサービスに関連する対話性のタイプに対応する値を有するパラメータ又は属性を含むことができる。例えば、パラメータ又は属性は、Ｂａｓｉｃ  ＴＶタイプのサービス、Ｃｌｉｐｃａｓｔタイプのサービス、Ｂａｓｉｃ  Ｒａｄｉｏタイプのサービス、ファイルダウンロードタイプのサービス等に対応する値を有するＴｙｐｅ属性とすることができる。或いは、パラメータ又は属性は、プログラム又はサービスに関連する対話のタイプを示す値を有することができる。例えば、パラメータ又は属性（例えば、Ｔｙｐｅ属性）は、対話のタイプをメッセージング、サービスガイド更新等として示す値を有することができる。さらに、パラメータ又は属性は、メッセージング対話の特定のタイプを示す値を有することができる（幾つかを挙げれば、例えば、ＭＭＳ、ＳＭＳ、又は電子メール）。
【００５６】
別の例では、受信機５００の入力部５０１は、プログラム又はサービスのタイプ及びプログラム又はサービスに関連する対話のタイプを示すことができるパラメータ又は属性を含むＥＳＧフラグメントを受信することができる。この例では、パラメータ又は属性（例えば、Ｔｙｐｅ属性）は、対話メッセージングをもつＢａｓｉｃＴＶタイプのサービスに対応する値又は非対話型又はｗｗｗサービスにより対話型であるＢａｓｉｃ  Ｒａｄｉｏサービスに対応する値を有することができる。サービス又はプログラムタイプ及び対話タイプのどのような組み合わせもパラメータ又は属性により示すことができる。したがって、この例では、受信機５００の入力部５０１は、属性を含むＥＳＧフラグメントを受信することができ、この属性は、サービス又はプログラムのタイプ及びサービス又はプログラムに関連する対話性のタイプを示すことができる。
【００５７】
受信機５００は、さらに、プログラム又はサービスのタイプ及び／又はプログラム又はサービスに関連する対話のタイプに関連するＥＳＧフラグメントにおけるパラメータを識別する解析機５０２を含むことができる。例えば、解析機は、ブロードキャスト、プログラム、又はサービスを示すパラメータ又は属性を識別することができる。パラメータ（例えば、ＢｒｏａｄｃａｓｔＴｙｐｅ属性）は、特定のタイプのブロードキャストに対応する値を有することができる（例えば、Ｂａｓｉｃ  ＴＶ、Ｂａｓｉｃ  Ｒａｄｉｏ、Ｃｌｉｐｃａｓｔ等）。解析機５０２は、さらに、ブロードキャストに関連する対話のタイプを示すＥＳＧフラグメントにおけるパラメータを識別することができる（例えば、ＩｎｔｅｒａｃｔｉｏｎＴｙｐｅパラメータ又は属性）。対話のタイプを示すパラメータ又は属性（例えば、ＩｎｔｅｒａｃｔｉｏｎＴｙｐｅパラメータ）は、対話のタイプに対応する値を有することができる（例えば、メッセージング、サービスガイド更新、ｗｗｗサービス、ＳＭＳメッセージング、ＭＭＳメッセージング、電子メールメッセージング等）。
【００５８】
受信機は、さらに、解析機５０２を制御又は命令するためのプロセッサ５０３を含むことができ、ＥＳＧフラグメント内から対応するパラメータを識別して、ブロードキャスト、プログラム、又はサービスのタイプ又はブロードキャスト、プログラム、又はサービスに関連する対話のタイプを識別することができる。ブロードキャストタイプ又は対話タイプに対応するデータは、出力部５０４により出力することができる。例えば、データはユーザ又は加入者に表示されることができる。
【００５９】
１つの例では、ＥＳＧフラグメントは受信機５００の入力部５０１で受信される。ＥＳＧフラグメントは、随意的には、入力インタフェース５０５により入力部受信５０１でされる。この例のＥＳＧフラグメントは、Ｂａｓｉｃ  ＴＶのようなブロードキャストのタイプの表示に対応する値を有するパラメータ又は属性（例えば、ＢｒｏａｄｃａｓｔＴｙｐｅ属性）を含む。例えば、「Ａｍｅｒｉｃａｎ  Ｉｄｏｌ」のようなプログラムは、受信機５００の入力部５０１で受信されたＥＳＧフラグメントに対応して与えられる。「Ａｍｅｒｉｃａｎ  Ｉｄｏｌ」Ｂａｓｉｃ  ＴＶプログラムは、例えば、閲覧者の投票のような関連する対話を有する。「Ａｍｅｒｉｃａｎ  Ｉｄｏｌ」プログラムに対応するＥＳＧフラグメントは、さらに、メッセージング対話の対話タイプを示す値を有するパラメータ又は属性（例えばＩｎｔｅｒａｃｔｉｏｎＴｙｐｅ属性）を含む。メッセージング対話の一例として、ＥＳＧフラグメントはメッセージング対話のタイプがＳＭＳメッセージング対話性であると示すことができる。
【００６０】
解析機５０２は、ＥＳＧフラグメントを入力部５０１から受信し、ＥＳＧフラグメントを解析してパラメータ又は属性を識別する。この例では、解析機５０２は、ＥＳＧフラグメントにおけるＢｒｏａｄｃａｓｔＴｙｐｅ属性及びＩｎｔｅｒａｃｔｉｏｎＴｙｐｅ属性を識別する。プロセッサ５０３は、さらに、ＥＳＧフラグメントにおけるパラメータ又は属性を識別するのに解析機５０２を制御する。ＥＳＧフラグメントにおいて識別されたパラメータ又は属性に基づいて、対応するプログラムが、出力部５０４で表示されることになる。この例では、ＥＳＧフラグメントにおいて識別されたＢｒｏａｄｃａｓｔＴｙｐｅ属性により求められたプログラムのタイプ（「Ａｍｅｒｉｃａｎ  Ｉｄｏｌ」）がディスプレイ上に表示される（例えば、出力部５０４）。さらに出力部５０４には、ＩｎｔｅｒａｃｔｉｏｎＴｙｐｅ属性により示されるように、ＳＭＳメッセージング上の投票について表示されることができる。換言すると、閲覧者は、ＳＭＳにより投票がこのプログラムに使用可能であるという事実に注意を喚起される。
【００６１】
図６は、本発明の１つの態様による送信機の例を示す部分ブロック図である。この例では、送信機６００は、伝送のためにＥＳＧフラグメントに含まれるデータを受信する入力部６０１を含む。このデータは、例えば、サービス・プロバイダ又はブロードキャスタのような種々のソースから受信することができる。送信機６００は、さらに、プログラム又はサービスに対応するＥＳＧフラグメントをアセンブル又は処理するプロセッサ６０４を含むことができる。図６は、プロセッサ６０４がブロードキャスト／対話モジュール６０２及びアセンブラ６０３を含むものとして示す。しかしながら、所望の場合には、これらのコンポーネントのいずれもプロセッサ６０４から分離することができる。
【００６２】
ブロードキャスト／対話モジュール６０２は、ＥＳＧフラグメントに対応するプログラム又はサービスに関連するブロードキャスト／対話のタイプを求めることができる。例えば、サービス・プロバイダは、特定のタイプのブロードキャスト、プログラム、又はサービス（例えば、Ｂａｓｉｃ  ＴＶ、Ｂａｓｉｃ  Ｒａｄｉｏ、Ｃｌｉｐｃａｓｔ等）、又は対話のタイプに関連するプログラム又はサービス（例えば、メッセージング、ＳＭＳ、ＭＭＳ、電子メール、サービスガイド更新等）を与えることができる。プログラム又はサービスのタイプ及び／又はプログラム又はサービスに関連する対話のタイプは、ＥＳＧフラグメントに含まれるパラメータ又は属性によりＥＳＧフラグメントにおいて示すことができる。プログラム又はサービス及び／又はプログラム又はサービスに関連する対話のタイプを示すパラメータ又は属性は、ＥＳＧフラグメントにおいて端末又は受信機に伝送することができる。したがって、ブロードキャスト及び／又は対話タイプ情報は、送信機６００に伝送することができ、サービスガイド又はＥＳＧフラグメントに含まれるブロードキャスト／対話モジュール６０２内で処理することができる。
【００６３】
送信機６００は、さらに、ブロードキャスト分散システム又はネットワークとインタフェースするインタフェースを含むことができる。例えば、送信機は、インタフェース６０６を含むことができる。１つの例では、サービスガイドが受信機又は受信機のグループに送信機６００から伝送され、受信機又は受信機のグループにおけるユーザ対話は与えられない（例えば、対話のタイプは非対話型として示される）。この例では、送信機は、非対話型サービス又はプログラムに対応するインタフェース６０６によりサービスガイドを伝送することができる。
【００６４】
１つの例では、送信機６００は、サービス又はプログラムのタイプを示すパラメータ又は属性を含むようにサービスガイドを処理する。この例では、アセンブラ６０３は、ネットワーク上で、伝送のためにサービスガイドを受信機又は受信機のグループに対してアセンブルする。この例では、パラメータ又は属性（例えば、ＢｒｏａｄｃａｓｔＴｙｐｅ属性）を、サービスガイド又はＥＳＧフラグメントに対応するプログラム又はサービスのタイプを示すサービスガイド又はＥＳＧフラグメント内に含むことができる。アセンブラ６０３は、タイプ属性（例えば、ＢｒｏａｄｃａｓｔＴｙｐｅ属性）を含むＥＳＧフラグメントを生成することができる。この例では、タイプ属性は、Ｂａｓｉｃ  ＴＶ、Ｒａｄｉｏ  ＴＶ、Ｃｌｉｐｃａｓｔ、ファイルダウンロードサービス等を示す値を有することができる。アセンブラ６０３は、さらに、ＥＳＧフラグメント又はサービスガイド内に、対応するプログラム又はサービスに関連する対話のタイプを示すパラメータ又は属性を含むことができる。例えば、アセンブラ６０３は、対話のタイプに対応する値をもって、サービスガイド又はＥＳＧフラグメント内にＩｎｔｅｒａｃｔｉｏｎＴｙｐｅを含むことができる（例えば、ＳＭＳメッセージング、ＭＭＳメッセージング、サービスガイド更新、ｗｗｗサービス等）。
【００６５】
１つの例では、サービス・プロバイダは、Ｂａｓｉｃ  Ｒａｄｉｏプログラム又はサービスを提供することができる。これは、例えば、受信機又は受信機のグループに伝送することができる朝のラジオプログラムとすることができる。ラジオプログラムに対応するＥＳＧは、プログラム又はサービスのタイプを示すパラメータ又は属性を含むように送信機において生成することができる。この例では、ＥＳＧフラグメントは、プログラムのタイプがＢａｓｉｃ  Ｒａｄｉｏプログラムであるように示すＢｒｏａｄｃａｓｔＴｙｐｅ属性を含むことができる。ラジオプログラムは、送信機の入力部６０１により受信することができる。さらに、送信機６００は、入力部６０１において、（例えば、Ｂａｓｉｃ  ｒａｄｉｏのようなプログラムタイプを示す）プログラムタイプを示すサービス・プロバイダから情報を受信することができる。例えば、サービス・プロバイダは、ＢｒｏａｄｃａｓｔＴｙｐｅ属性のようなパラメータ又は属性をＥＳＧフラグメント内に含むように、及び、対応するプログラムをＢａｓｉｃ  Ｒａｄｉｏプログラムとして示すように与えることができる。
【００６６】
さらに、送信機６００は、サービス・プロバイダから入力部６０１により、サービス・プロバイダからのプログラム又はサービスの対話コンポーネントを受信することができる。例えば、ラジオショーは、ウェブ（すなわち、ｗｗｗ）ページへのリンクを含むことができる。したがって、タイプＢａｓｉｃ  Ｒａｄｉｏのプログラムは、さらに、ユーザがリンクにより対応するウェブページにアクセスすることができる対話コンポーネントを有することができる。ブロードキャスト／対話モジュールは、サービス・プロバイダから受信した情報を処理することができ、関連するプログラム又はサービスの対話コンポーネントに対応するパラメータ又は属性を含むことができる。この例では、ブロードキャスト／対話モジュールは、例えば、アセンブラ６０３のような「ｗｗｗ  ｓｅｒｖｉｃｅｓ」の対話性タイプに対応するＩｎｔｅｒａｃｔｉｖｉｔｙＴｙｐｅ属性を与える。アセンブラは、ＢｒｏａｄｃａｓｔＴｙｐｅ属性及びＩｎｔｅｒａｃｔｉｖｅＴｙｐｅ属性を受信し、ＥＳＧフラグメント内にこれらの属性を含む。ブロードキャストのタイプ及び／又はプログラム又はサービスに関連する対話のタイプを示すパラメータ又は属性を含むＥＳＧフラグメントは、出力部６０５により受信機又は受信機のグループに伝送することができる。さらに、出力部は、図６に示すように、インタフェース６０６により、ＥＳＧフラグメントにネットワークを与えることができる。１つの例では、プログラム又はサービスのタイプ及び／又はプログラム又はサービスに関連する対話のタイプを示すパラメータ又は属性をＥＳＧフラグメントのメタデータに含むことができる。
【００６７】
図７は、プログラム又はサービスのタイプ及び／又はプログラム又はサービスに関連する対話のタイプを示すパラメータ又は属性を含むサービスガイドを伝送する例を示すフローチャートである。この例では、サービスガイド又はＥＳＧフラグメントはステップ７０２で生成される。例えば、送信機は、受信機又は受信機のグループに対して、プログラム又はサービスのタイプ及び／又はプログラム又はサービスに関連する対話のタイプを含むことができる対応するプログラム又はサービスに関する情報を含むＥＳＧフラグメントを生成することができる。ＥＳＧフラグメントは、例えば、ブロードキャストのタイプ（例えば、ＢｒｏａｄｃａｓｔＴｙｐｅ属性）を示すパラメータ又は属性を含むことができる。ＢｒｏａｄｃａｓｔＴｙｐｅ属性は、例えば、プログラム又はサービスのタイプに対応する値を有することができる（例えば、Ｂａｓｉｃ  ＴＶ、Ｂａｓｉｃ  Ｒａｄｉｏ、Ｃｌｉｐｃａｓｔ、ファイルダウンロードサービス、ソフトウェア管理サービス、通知サービス）（ステップ７０３）。このパラメータ又は属性は、対応するプログラム又はサービスのタイプを示すＥＳＧフラグメント又はサービスガイドに加えることができる（ステップ７０３）。１つの例では、パラメータ又は属性はプログラム又はサービスのタイプの表示に対応する整数値とすることができる。
【００６８】
ＥＳＧフラグメントは、さらに、対応するプログラム又はサービスに関連する対話のタイプを示すパラメータ又は属性を含むことができる。一例として、対話のタイプを示すパラメータ又は属性は、指定された対話のタイプに対応する値を有することができるＩｎｔｅｒａｃｔｉｏｎＴｙｐｅ属性とすることができる。例えば、幾つか挙げると、ＩｎｔｅｒａｃｔｉｏｎＴｙｐｅ属性は、ＳＭＳメッセージング対話、ＭＭＳメッセージング対話、電子メールメッセージング対話、サービスガイド更新対話、又はｗｗｗサービス対話に対応する値を有することができる（ステップ７０４）。
【００６９】
ステップ７０５において、ＥＳＧフラグメントは、端末又は受信機に伝送される。端末又は受信機は、このようにパラメータ又は属性を受信して、プログラム又はサービスのタイプ及び／又はＥＳＧフラグメントに対応するプログラム又はサービスに関連する対話のタイプを示すことができる。
【００７０】
図８は、プログラム又はサービスのタイプ及び／又はプログラム又はサービスに関連する対話のタイプを示すＥＳＧフラグメントにおけるパラメータ又は属性を受信する受信機又は端末の例を示すフローチャートである。この例のステップ８０１では、端末又は受信機は、ＥＳＧフラグメントを受信する。ステップ８０２では、端末における解析機は、プログラム又はサービスのタイプ及び／又はプログラム又はサービスに関連する対話のタイプに関連するデータのＥＳＧフラグメントを解析することができる。ＥＳＧフラグメントは、例えば、プログラム又はサービスのタイプを示すパラメータ又は属性を含むことができる。１つの例では、パラメータ又は属性は、プログラム又はサービスのタイプに対応する値を有するＢｒｏａｄｃａｓｔＴｙｐｅ属性である（例えば、Ｂａｓｉｃ  ＴＶ、Ｂａｓｉｃ  Ｒａｄｉｏ等）（ステップ８０３）。
【００７１】
ＥＳＧフラグメントは、さらに、プログラム又はサービスに関連する対話のタイプを示すパラメータ又は属性を含むことができる。１つの例では、パラメータ又は属性は、プログラム又はサービスに関連する対話のタイプに対応する値を有するＩｎｔｅｒａｃｔｉｏｎＴｙｐｅ属性である。例えば、ＩｎｔｅｒａｃｔｉｏｎＴｙｐｅパラメータは、ＳＭＳメッセージング対話、ＭＭＳメッセージング対話、電子メールメッセージング、サービスガイド更新等を示すことができる（ステップ８０４）。
【００７２】
ステップ８０５では、プログラム又はサービスのタイプ及び／又はプログラム又はサービスに関連する対話のタイプを示すパラメータ又は属性は、端末又は受信機で受信し処理することができる。例えば、受信機は、Ｂａｓｉｃ  ＴＶプログラムとしてプログラムのタイプを示す属性を受信することができ、Ｂａｓｉｃ  ＴＶプログラムをディスプレイ上に表示することができる。さらに、受信機は、Ｂａｓｉｃ  ＴＶプログラムに関連する対話のタイプはＳＭＳメッセージングタイプの対話であることを示す属性を受信することができる。この例では、受信機はディスプレイ上のＢａｓｉｃ  ＴＶプログラム及びＳＭＳメッセージング機能のためのディスプレイ上の表示（例えば、アイコン、リンク等）とすることができる。表示される表示は、受信されたときにプログラムから分離される（すなわち、プログラムに含まれなくなる）が、端末において重畳される。１つの実施形態では、ユーザは、リンクをクリック又は選択し、対話サービスが作動されることになる。
【００７３】
図９は、プログラム又はサービスのタイプ又はプログラム又はサービスに関連する対話性のタイプに関する情報を提供するユーザ・インタフェースの例を示す。この例では、受信機は、プログラム又はサービスのタイプ又はプログラム又はサービスに関連する対話性のタイプを示すパラメータ、エレメント、又は属性を含むＥＳＧフラグメントを受信することができる。受信機は、ＥＳＧフラグメントを解析して、プログラムのタイプを識別する。この例では、プログラムのタイプはＢａｓｉｃ  ＴＶである。Ｂａｓｉｃ  ＴＶプログラムは、図９の例に示すように、ユーザ・インタフェース９０１上に表示される。さらに、この例のＥＳＧフラグメントは、プログラム又はサービスに関連する対話性のタイプを示すパラメータ、エレメント、又は属性を含む。例えば、図９の例のＢａｓｉｃ  ＴＶプログラムに関連する対話性のタイプは、ＳＭＳ対話性とすることができ、加入者はＢａｓｉｃ  ＴＶプログラムに対応して投票する又は他の入力を与えることができる。図９に示すように、表示９０２は、ＳＭＳメッセージングが関連するＢａｓｉｃ  ＴＶプログラムに使用可能であることを示すために与えることができる。
【００７４】
どのような対話性のタイプもプログラム又はサービスに関連することができる。図９に示すように、プログラム又はサービスは、ｗｗｗサービスと関連してよい。このことは、ユーザ・インタフェース又はディスプレイ上に示されるリンク９０３により示すことができる。
【００７５】
本発明は、ここに開示された新規な特徴又は特徴の組み合わせを、明示的に又は何らかの一般化した形で含むことができる。現在のところ好ましい本発明を実施する形態を含む特定の例に関して説明されたが、当業者であれば、上述のシステム及び技術の種々の変形及び置換があることを理解するであろう。したがって、本発明の精神及び範囲は、添付の特許請求の範囲に述べられたように広く解釈されるべきである。
【図面の簡単な説明】
【００７６】
【図１】本発明の種々の態様が実施することができる無線通信システムのブロック図を示す。
【図２】本発明の１つ又はそれ以上の例示的な実施形態を実施することができる好適なデジタル・ブロードキャスト受信機を示す。
【図３】本発明の１つ又はそれ以上の例示的な実施形態を実施することができるトランスポート・オブジェクトの例の概略図を示す。
【図４】本発明の１つ又はそれ以上の例示的な実施形態を実施することができる単一のトランスポート・オブジェクトをトランスポートする例を示す。
【図５】本発明の１つ又はそれ以上の例示的な実施形態を実施することができる受信機の例を示す。
【図６】本発明の１つ又はそれ以上の例示的な実施形態を実施することができる送信機の例を示す。
【図７】本発明の１つ又はそれ以上の例示的な実施形態を実施することができるプログラム又はサービスのタイプ及び／又はプログラム又はサービスに関連する対話のタイプに関する情報を含むＥＳＧフラグメントを伝送する例のフローチャートを示す。
【図８】本発明の１つ又はそれ以上の例示的な実施形態を実施することができるプログラム又はサービスのタイプ及び／又はプログラム又はサービスに関連する対話のタイプに関する情報を含むＥＳＧフラグメントを受信する例のフローチャートを示す。
【図９】本発明の１つ又はそれ以上の例示的な実施形態を実施することができるユーザ・インタフェースの例を示す。
【図１】
2009516943.tif 000008
【図２】
2009516943.tif 000009
【図３】
2009516943.tif 000010
【図４】
2009516943.tif 000011
【図５】
2009516943.tif 000012
【図６】
2009516943.tif 000013
【図７】
2009516943.tif 000014
【図８】
2009516943.tif 000015
【図９】
2009516943.tif 000016
【国際調査報告】
2009516943.tif 000017
2009516943.tif 000018
2009516943.tif 000019